(57)【特許請求の範囲】
【請求項１】
個別の情報項目、特にシリアル番号を備えている有価証券を印刷する番号印刷機を設定および調整する装置であって、前記番号印刷機は、支持ディスクと、前記支持ディスク上の番号印刷ユニットとを有し、複数の前記番号印刷ユニットは１つの前記支持ディスク上に取り付けられており、複数の前記支持ディスクは少なくとも１つの軸上に取り付けられており、少なくとも１つの前記軸は少なくとも１つのロータリエンコーダを備えている少なくとも第１の駆動要素によって駆動され、配置装置が前記軸に沿う前記支持ディスクの目標位置並びに前記支持ディスク上に支持される各番号印刷ユニットの目標位置を指定し、前記配置装置は前記番号印刷機の前記軸に平行に案内され、第２の駆動要素が前記配置装置を各前記支持ディスクの個別の前記目標位置に移動させることを特徴とする、装置。
【請求項２】
前記配置装置は光線を備えている光発生装置、機械的な停止部、または目盛りのあるモニタを備えているカメラであることを特徴とする、請求項１に記載の装置。
【請求項３】
前記光発生装置は焦点レンズを備えており、前記目標位置を前記支持ディスクまたは前記番号印刷ユニット上の光の点で指定するレーザーまたは光源であることを特徴とする、
請求項２に記載の装置。
【請求項４】
前記番号印刷機は、前記少なくとも１つの軸に加えて別の軸を備え、前記少なくとも１つの軸と前記別の軸は互いに平行に配置され、
前記配置装置は前記番号印刷装置の前記少なくとも１つの軸と前記別の軸に対して垂直方向に案内され、
更なる駆動要素が前記配置装置を前記番号印刷装置の前記少なくとも１つの軸と前記別の軸との間で垂直方向に移動させることを特徴とする、請求項１乃至３のいずれか１項に記載の装置。
【請求項５】
前記配置装置は前記支持ディスクまたは前記番号印刷ユニットがそれぞれの前記目標位置に到達したときに視覚および／または聴覚信号を出力することを特徴とする、請求項１乃至３のいずれか１項に記載の装置。
【請求項６】
前記ロータリエンコーダはそれぞれの前記支持ディスク上の前記番号印刷ユニットの前記個別の目標位置をさらに示し、前記第１の駆動要素は前記番号印刷ユニットの前記目標位置に到達するまで前記軸を回転させることを特徴とする、請求項１乃至３のいずれか１項に記載の装置。
【請求項７】
個別の情報項目、特にシリアル番号を備えている有価証券を印刷する番号印刷機を設定および調整する方法であって、前記番号印刷機は、支持ディスクと、前記支持ディスク上の番号印刷ユニットとを有し、複数の前記番号印刷ユニットは前記支持ディスク上に取り付けられており、複数の前記支持ディスクは軸上に取り付けられており、前記軸は少なくとも１つのロータリエンコーダを備えている少なくとも１つの駆動要素によって駆動され、
ａ）前記軸に平行に案内され、第２の駆動要素により駆動される配置装置が第１の前記支持ディスクの目標位置と第１の前記支持ディスク上の第１の前記番号印刷ユニットの目標位置を指定するステップと、
ｂ）第１の前記番号印刷ユニットは第１の前記支持ディスク上に配置され、第１の前記支持ディスクが前記目標位置に到達するまで第１の前記支持ディスクと共に前記軸上で変位し、到達すると第１の前記支持ディスクは前記軸上に固定されるステップと、同時に、
ｃ）第１の前記番号印刷ユニットは第１の前記番号印刷ユニットが前記目標位置に到達するまで第１の前記支持ディスク上で変位し、到達すると第１の番号印刷ユニットは第１の前記支持ディスク上に固定されるステップと、それから、
ｄ）前記ロータリエンコーダは第１の前記支持ディスク上の第２の前記番号印刷ユニットの前記目標位置を示し、前記駆動要素は第１の前記支持ディスクが第２の前記番号印刷ユニットの前記目標位置に到達するまで前記軸を回転させるステップと、それから、
ｅ）前記ステップｃ）とｄ）による動作は、第１の前記支持ディスクの第２のそしてさらなる各前記番号印刷ユニットについて実施又は反復されるステップと、それから
ｆ）全ての前記番号印刷ユニットが第１の前記支持ディスク上に取り付けられたときに、前記ステップａ）からｅ）による動作がさらに全ての前記支持ディスクと、対応している前記番号印刷ユニットとについて実施又は反復されるステップ
を特徴とする方法。
【請求項８】
個別の情報項目、特にシリアル番号を備えている有価証券を印刷する番号印刷機を設定および調整する方法であって、前記番号印刷機は、支持ディスクと、
前記支持ディスク上の番号印刷ユニットとを有し、複数の前記番号印刷ユニットは前記支持ディスク上に取り付けられており、複数の前記支持ディスクは軸上に取り付けられており、前記軸は少なくとも１つのロータリエンコーダを備えている少なくとも１つの駆動要素によって駆動され、
ａ）前記軸に平行に案内され、第２の駆動要素により駆動される配置装置が第１の前記支持ディスクの目標位置を指定するステップと、
ｂ）第１の前記支持ディスクが第１の前記支持ディスクが前記目標位置に到達するまで前記軸上で変位し、到達すると第１の前記支持ディスクが前記軸上に固定されるステップと、それから、
ｃ１）前記配置装置が第１の前記番号印刷ユニットの目標位置を指定するステップと、
ｃ２）第１の前記番号印刷ユニットが第１の前記支持ディスク上に配置され、第１の前記支持ディスク上で第１の前記番号印刷ユニットが前記目標位置に到達するまで変位し、到達すると第１の前記番号印刷ユニットは第１の前記支持ディスク上に固定されるステップと、それから、
ｄ）前記ロータリエンコーダは第１の前記支持ディスク上の第２の前記番号印刷ユニットの前記目標位置を示し、前記駆動要素は第１の前記支持ディスクが第２の前記番号印刷ユニットの前記目標位置に到達するまで前記軸を回転させるステップと、それから、
ｅ）前記ステップｃ１）〜ｄ）による動作は、第１の前記支持ディスクの第２のそしてさらなる各前記番号印刷ユニットについて実施又は反復されるステップと、それから
ｆ）全ての前記番号印刷ユニットが第１の前記支持ディスク上に取り付けられたときに、前記ステップａ）からｅ）による動作がさらに全ての前記支持ディスクと、対応している前記番号印刷ユニットとについて実施又は反復されるステップ
を特徴とする方法。
【発明の詳細な説明】
【技術分野】
【０００１】
本発明は個別の情報項目、特にシリアル番号を備えている有価証券つまり有価証券の用紙を印刷する番号印刷機を設定し調整する装置と方法とに関する。そのような番号印刷機は、支持ディスクと、支持ディスク上に取り付けられている番号印刷ユニットとを特に有し、複数の番号印刷ユニットは支持ディスク上に取り付けられており、複数の支持ディスクは軸上に取り付けられており、軸は少なくとも１つのロータリエンコーダを備えている少なくとも１つの駆動要素によって駆動される。
【背景技術】
【０００２】
番号印刷ユニットの各々は、個別の情報項目を有価証券つまり有価証券の用紙上に印刷し、個別の情報項目は続く印刷動作では変更されている。したがって、たとえば、個別の有価証券の印刷時に、シリアル番号の値は印刷動作後に１だけ増加または減少する。
【０００３】
番号印刷機の個別の支持ディスクと番号印刷ユニットとの配置設定は、従来技術においては手動で実施された。従来技術では、軸上の個別の支持ディスクと各支持ディスクの個別の番号印刷ユニットとは、所定のレイアウトに従っておおまかに配置され、固定される。おおまかにこのように設定されている番号印刷機によって、第１のサンプルつまり第１のサンプル用紙が印刷され、個別の番号印刷ユニットの印刷が計測され、指定された目標位置を達成する修正値が計算される。それから、軸上の支持ディスクと各支持ディスクの個別の番号印刷ユニットの個別の位置が手動で修正され、サンプル用紙が再び印刷される。この動作は、有価証券つまり有価証券の用紙上の個別の番号印刷ユニットの印刷の位置が目標位置の誤差の限界内に位置するまで繰り返される。
【発明の概要】
【発明が解決しようとする課題】
【０００４】
しかし、この動作には相当な量の時間と労力とが必要であるので、これは特に不利である。たとえば、番号印刷機の番号印刷ユニットが完全に調整されるまで１４時間かかることもある。この時間の間、番号印刷機は有価証券つまり有価証券の用紙の印刷には使用できない。
【０００５】
そのため本発明の目的は、それによって従来技術の欠点が取り除かれる番号印刷機を設置し調整する装置と方法とを提供することである。
【課題を解決するための手段】
【０００６】
この目的は、独立請求項の特徴によって達成される。本発明のさらなる実施態様が従属請求項の対象を構成する。
【０００７】
本発明によれば、配置装置が支持ディスクと対応している支持ディスク上のそれぞれの番号印刷ユニットの目標位置を指定する。
【０００８】
特に好ましい実施態様において、目標位置は以下のように確定される。
【０００９】
印刷対象の用紙は、印刷操作が適用される前は、通常長方形である。それに対して、印刷済みの用紙がほぼ完全に印刷された後であって、印刷済みの用紙に個別の情報項目が番号印刷機で印刷される前には、印刷済みの用紙は台形に変形つまり歪んでおり、印刷済みの用紙の前の縁は、その後続の縁よりも短いかまたはまれに長い。さらに、台形の変形は両方の側部の縁では通常一様には発生せず、変形は一方の側部の縁に対して他方の側部の縁に対するよりも強い程度で発生する。たとえば、印刷済みの用紙は左の側部の縁に対して右の側部の縁に対するよりも強い程度で変形している可能性がある。さらに、この台形の変形は作業に依存して変化することがあって、たとえば用紙あたり３２個の複数の複製のある作業の場合の変形は用紙あたり５０個の複数の複製のある作業の場合の変形とは異なる可能性がある。そのため、個別の有価証券つまり印刷済みの用紙上の複数の複製の実際の位置が、ほぼ完全に印刷済みであるが個別の情報項目を依然として印刷する必要のある用紙を使用して計測装置によって水平と垂直方向に、つまりｘとｙ方向に最初に全て求められる。そのようなデータが実際のデータとして指定される。
【００１０】
その後、番号印刷機内の印刷済みの用紙の実際のそして最適な配置について修正データが求められる。これは、番号印刷機への入力の位置で印刷済みの用紙のその前部縁を支持する２つの前部ガイドと、印刷済みの用紙のその側部縁を支持する側部ガイドとに対して特に影響がある。したがって、非一様な台形の変形は、用紙の前部縁の後部縁に対する差が各紙幣について番号印刷ユニットにわたって横方向に等しく分割されるように一方の前部ガイドを前部または後部に向けて変位させることによって平均化することができる。
【００１１】
それから、実際のデータが修正データと数学的に組み合わされて、ロータリエンコーダと配置装置との制御装置への入力のためのデータセットが生成される。ここでは以下が該当する。
−前部ガイドを後部に向けて変位させなければならない場合、前部ガイドの修正データは実際のデータから減算される。
−それとは逆に、前部ガイドを前部に向けて変位させなければならない場合、前部ガイドの修正データと実際のデータとは加算される。
−印刷済みの用紙が後部に向かって広くなるように変形している場合、側部ガイドの修正データと実際のデータとが加算され、結果が２で除算される。
【００１２】
ここでの垂直方向の入力データは最適な配置データである。水平方向の入力データは側部ガイドつまり印刷済みの用紙の側部接触縁と用紙のグリッパ内のそれぞれの行および用紙の下側縁の横方向の位置との間の最大の横方向の差について平均化されたデータである。水平方向では、有価証券の用紙つまり印刷積みの用紙の複数の複製の各行について判断が行われ、１つまたは２つ以上の中間の行は一切変形していないと定義上は仮定されている。
【００１３】
配置装置は、レーザーなどの光線を発生する発光装置または焦点レンズを備えている光源であることが好ましく、レーザーまたは光源は目標位置を支持ディスク上または番号印刷ユニット上に光のスポットで指定する。その代わりに、配置装置は機械的停止部または目盛りのあるモニタを備えているカメラとして構成することもできる。
【００１４】
ここで配置装置は、番号印刷機の軸に平行に案内されることが好ましく、配置装置を駆動要素によって各支持ディスク上の個別の目標位置に移動させる。
【００１５】
紙幣には２つまたは３つ以上のシリアル番号が通常印刷される。したがって、たとえば、１つのシリアル番号が水平方向に向けられ、他のシリアル番号が垂直方向に向けられるが、対角線の方向などの他の所望の任意の方向も可能である。この目的のために、番号印刷機は互いに上下に平行に配置されている２つまたは３つ以上の軸を有している。前述した例によれば、番号印刷ユニットは、１つの軸上で水平方向に向けられ、他の軸上で垂直方向に向けられる。この場合、配置装置は番号印刷機の軸に対して垂直方向にさらに案内することが可能で、さらなる駆動手段によってそれぞれの軸に対して移動させることができる。複数の軸が１つの配置装置によって設定され調整されることがここでは特に有利であって、そうでない場合、軸の変更が必要になる。
【００１６】
支持ディスク上で、それぞれ番号印刷ユニットがそれぞれの目標位置に取り付けられるとすぐに、配置装置は映像および／または音声信号を操作要員に対して出力することが好ましい。これは、操作スタッフに対して、それから支持ディスクが軸上に固定可能なこと、または番号印刷ユニットが支持ディスク上に固定可能で、次の支持ディスクまたは次の番号印刷ユニットを配置できることを示している。
【００１７】
さらに、ロータリエンコーダは、それぞれの支持ディスク上の番号印刷ユニットの個々の目標位置を示している。駆動要素は番号印刷ユニットの目標位置に到達するまでここで軸を回転させ、それから駆動要素の電源が切断され、支持ディスクはその目標位置に止まっている。
【００１８】
番号印刷機の支持ディスクと支持ディスク上の印刷ユニットの目標位置を設定する方法はここでは以下のように進行する。
ａ）まず、配置装置が第１の支持ディスクと第１の支持ディスク上の第１の番号印刷ユニットの目標位置を指定する。そのため、配置装置は第１の支持ディスクと第１の支持ディスク上の第１の番号印刷ユニットの目標位置をｘとｙの値として同時に指定する。配置装置がたとえばレーザーである場合、レーザービームが両方の目標位置を同時に指定する。予め定められている距離にはっきりとした点を生成する焦点長が固定されているレーザーの場合、第１の支持ディスク上の第１の番号印刷ユニットの目標位置はそのように指定され、目標位置は同時に第１の支持ディスクの目標位置も表している。
ｂ）それから、第１の番号印刷ユニットが第１の支持ディスク上に配置され、第１の支持ディスクと共に軸に沿って目標位置に到達し、軸上に固定されるまで、軸に沿って変位する。
ｃ）支持ディスクと同時に、そしてそのためステップｂ）と同時に、第１の番号印刷ユニットを第１の支持ディスク上で第１の番号印刷ユニットがその目標位置に到達するまで変位させ、第１の支持ディスク上で固定する。そのため、ステップｂ）とｃ）とは同時に発生し、支持ディスクと番号印刷ユニットとは目標位置に再帰的な過程で近づく。
ｄ）その後、ロータリエンコーダが第２の番号印刷ユニットの第１の支持ディスク上の目標位置を示し、そのときに、駆動要素が第１の支持ディスクが第２の番号印刷ユニットの目標位置に到達するまで軸を回転させる。
ｅ）ステップｃ）とｄ）による動作が第１の支持ディスク上の第２のそしてさらなる各番号印刷ユニットについて実施つまり反復される。
ｆ）全ての番号印刷ユニットが第１の支持ディスク上に取り付けられると、ステップａ）からｅ）による動作がさらに全ての支持ディスクと対応する番号印刷ユニットについて実施つまり反復される。
【００１９】
ここで第１の支持ディスクと第１の番号印刷ユニットとはそれぞれ任意の所望の支持ディスクと任意の所望の番号印刷ユニットにそれぞれ割り当てることが可能で、必ずしもそれぞれ外側の支持ディスクや外側の番号印刷ユニットに限定されていない。同様に第２のまたはさらなる各支持ディスクと第２のまたはさらなる各番号印刷ユニットとは必ずしもそれぞれ幾何学的に最も近くに位置している支持ディスクと番号印刷ユニットである必要はない。むしろ、配置装置は、次の支持ディスクと次の番号印刷ユニットとして、これまで調整されたことのない任意の所望の支持ディスクと任意の所望の番号印刷ユニットとをそれぞれ使用することができる。
【００２０】
さらなる実施形態によれば、支持ディスクと番号印刷ユニットとの間の様々な距離に対して設定する必要のない配置装置を使用することができる。この目的のために、たとえば、焦点距離をさまざまな距離に設定可能なレーザーを使用することが可能である。そのため、配置装置は支持ディスクと番号印刷ユニットの目標位置を各場合に指定することができる。支持ディスクと番号印刷ユニットとに共通している指示は必要ない。支持ディスクと支持ディスク上の番号印刷ユニットとの目標位置を設定する方法は本明細書では以下のようになる。
ａ）まず、配置装置が第１の支持ディスクと第１の目標位置を指定する。
ｂ）それから、第１の支持ディスクが目標位置に到達するまで第１の支持ディスクを軸上で変位させ、そして軸上に固定する。
ｃ１)それから配置装置が第１の印字ユニットの目標位置を指定する。
ｃ２）第１の番号印刷ユニットを第１の支持ディスク上に配置し、第１の支持ディスク上で第１の印字ユニットが目標位置に到達するまで変位させ、第１の支持ディスク上に固定する。
ｄ）その後、ロータリエンコーダは第１の支持ディスク上の第２の番号印刷ユニットの目標位置を示し、駆動要素は第１の支持ディスクが第２の番号印刷ユニットの目標位置に到達するまで軸を回転させる。
ｅ）ステップｃ）とｄ）による動作は、第１の支持ディスクの第２のそしてさらなる各番号印刷ユニットについて実施つまり反復され、それから
ｆ）全ての番号印刷ユニットが第１の支持ディスク上に取り付けられたときに、ステップａ）からｅ）による動作がさらに全ての支持ディスクと対応している番号印刷ユニットについて実施つまり反復される。
【００２１】
本発明の利点は、番号印刷機の設定と調整とが少なくとも部分的に自動化されていることであって、その結果、必要な時間と労力とを相当に削減することができる。したがって、本発明の装置と本発明の方法とのおかげで、番号印刷機を完全に設定して調整するまでにたとえば２時間しかかからない。その結果、わずかな時間が失われるだけで異なる印刷作業の間で印刷機を再設定して調整することが可能であって有利である。
【００２２】
その代わりに、この種類の設定と調整だけを目的として利用可能な独立している番号印刷機上の単一軸の支持ディスクと番号印刷ユニットとを設置し調整することも可能である。この場合、設定と調整が行われた後、独立している番号印刷機から軸が取り除かれ、実際の番号印刷機に設置される。これは、異なる印刷作業の間の切り替えを実際の番号印刷機のダウンタイムが実質的になくなるように実施できるので、特に有利である。
【００２３】
本発明の利点を以下の実施形態つまり例と補足的な図とを使用して説明する。以下の文章で説明する個々の特徴と典型的な実施形態とはそれ自体が発明的であるが、組み合わされても発明的である。例は、好ましい実施形態を示しているが、本発明はこれらには一切限定されない。
【００２４】
さらに、図における説明はわかりやすさを改善するために非常に模式的であって、実際の現実的な状態を反映していない。特に、図に示している部分は、現実に存在している状態には対応しておらず、明確さを改善するためだけの役割がある。同様に、以下の例で記述している実施形態は、わかりやすさを改善するために不可欠の中心的な情報に絞っている。現実の実装においては、実質的により複雑なパターンまたは画像を使用することができる。
【００２５】
以下の図は詳細を示している。
【図面の簡単な説明】
【００２６】
【図１】支持ディスク上の番号印刷ユニットの目標位置を指定するレーザーの形態である本発明の配置装置の模式的な側面図である。
【図２】図１の本発明の配置装置の透視図である。
【図３】関連する目標位置と共に示している番号印刷ユニットの平面の模式図である。
【図４ａ】支持ディスクと支持ディスク上の２つの番号印刷ユニットを設置し調整する間の動作を模式的に示している平面図である。
【図４ｂ】支持ディスクと支持ディスク上の２つの番号印刷ユニットを設置し調整する間の動作を模式的に示している平面図である。
【図４ｃ】支持ディスクと支持ディスク上の２つの番号印刷ユニットを設置し調整する間の動作を模式的に示している平面図である。
【図４ｄ】支持ディスクと支持ディスク上の２つの番号印刷ユニットを設置し調整する間の動作を模式的に示している平面図である。
【発明を実施するための形態】
【００２７】
図１と図２は支持ディスク１上で番号印刷ユニット２の目標位置を指定するレーザー４の形態の本発明の配置装置を示しており、支持ディスクは軸３に取り付けられている。ここでは、レーザービーム６が番号印刷ユニット２上の光の点、たとえば図３に示しているように番号印刷ユニットの左側の番号ホイールの位置として番号印刷ユニット２の目標位置５を指定する。ここでは基準点は番号「０」の下の縁である。
【００２８】
図４は、焦点距離が固定のレーザーを使用する支持ディスク１と支持ディスク１上の２つの番号印刷ユニットとの設置および調整時の動作を示しており、このレーザーはレーザーと計測される物体との間の様々な距離に対して設定することはできない。図４ａによれば、レーザーは第１の支持ディスク１の目標位置５と、そのため同時に第１の番号印刷ユニット２の目標位置も指定する。それから、操作要員は番号印刷ユニット２を支持ディスク１上に配置し、軸３上での支持ディスク１の固定を解除し、支持ディスク１を目標位置５の方向に押す。図４ｂの目標位置５にほぼ到達すると即座に、番号印刷ユニット２は、ほぼ目標位置５の方向に変位する。それから、支持ディスク１が目標位置５の方向に再びわずかに変位し、その後、番号印刷ユニット２が再び変位する等が行われる。この再帰的な過程は、番号印刷ユニット２と支持ディスク１の両方が目標位置に到達するまで反復される。
【００２９】
支持ディスク１と番号印刷ユニット２とが目標位置５に到達すると即座に、配置装置は視覚的および／または聴覚的な信号を出力する。そのため、支持ディスク１上の目標位置５に対する光の点の視覚的な配置に加えて、視覚的および／または聴覚的な信号が操作要員に支持ディスク１と番号印刷ユニット２の目標位置に到達したことを知らせる。操作要員は、たとえば、操作要素上の該当するボタンを押すことによって、支持ディスク１を固定し、それから支持ディスク１はその目標位置に配置され、操作を確実にする。
【００３０】
その後、操作要員は番号印刷ユニット２を支持ディスク１上に配置し、基準位置、図３の例における左側の数「０」の下側の縁が目標位置に一致するまで変位させる。さらに、この場合も、配置装置が視覚的および／または聴覚的な信号を出力する。操作要員は、たとえば、操作要素上の該当するボタンを押すことによって、支持ディスク１上の番号印刷ユニット２を固定し、それから番号印刷ユニット２はその目標位置に配置され、操作を確実にする。
【００３１】
続く番号印刷ユニットを配置するために、駆動装置のロータリエンコーダが番号印刷ユニットの目標位置に到達した信号を出力するまで駆動装置が軸３を回転させる。ロータリエンコーダは駆動装置を停止させ、その結果、軸３とそのため支持ディスクが番号印刷ユニットの目標位置で静止する。操作要員は、番号印刷ユニットを支持ディスク１上に配置し、前の番号印刷ユニットの調整に相当する操作を反復する。
【００３２】
操作は、全てのさらなる番号印刷ユニットと支持ディスクとについて同様に反復される。
【００３３】
配置装置は、ここでは番号印刷機の軸に平行に案内され、そのような配置装置は駆動要素によって各支持ディスクの個別の目標位置に対して移動する。
【００３４】
最後に、制御の目的で、有価証券つまり有価証券の用紙を設定され調整されている番号印刷機を使用して印刷することが可能で、規定されている位置に対する印刷された個別の情報項目のずれが確認される。それぞれの番号印刷ユニットの好ましい位置精度は、本明細書では０．１ｍｍであり、それはつまり、印刷された個別の情報項目はそれぞれの規定された位置から０．１ｍｍを超えてずれてはならないということである。
【図１】
0005705729.tif 000002
【図２】
0005705729.tif 000003
【図３】
0005705729.tif 000004
【図４ａ】
0005705729.tif 000005
【図４ｂ】
0005705729.tif 000006
【図４ｃ】
0005705729.tif 000007
【図４ｄ】
0005705729.tif 000008